(57)【要約】【課題】ロフトの利便性及び安全性を向上させることのできるロフト付き室内構造を提供する。【解決手段】水平方向において対向する第１，第２ロフト１０，２０と、第１，第２ロフト１０，２０の床をそれぞれ形成する、水平方向において対向して設けられた第１，第２ロフト床部１２，２２と、第１，第２ロフト床部１２，２２の間に設けられた、通路３０形成スペースＳ１と、を備えたことを特徴とする。【選択図】図１
2020133115.tif 000002
【特許請求の範囲】
【請求項１】
水平方向において対向する第１，第２ロフト（１０，２０）と、
これら第１，第２ロフト（１０，２０）の床をそれぞれ形成する、水平方向において対向して設けられた第１，第２ロフト床部（１２，２２）と、
これら第１，第２ロフト床部（１２，２２）の間に設けられた、通路形成スペース（Ｓ１）と、
を備えたことを特徴とするロフト付き室内構造。
【請求項２】
水平方向において対向する第１，第２ロフト（１０，２０）と、
これら第１，第２ロフト（１０，２０）の床をそれぞれ形成する、水平方向において対向して設けられた第１，第２ロフト床部（１２，２２）と、
これら第１，第２ロフト床部（１２，２２）の間に設けられた、通路形成スペース（Ｓ１）と、
この通路形成スペース（Ｓ１）に配置され、前記第１，第２ロフト床部（１２，２２）の間に通路（３０）を形成する通路形成体（４０）と、
を備えたことを特徴とするロフト付き室内構造。
【請求項３】
水平方向において対向する第１，第２ロフト（１０，２０）と、
これら第１，第２ロフト（１０，２０）の床をそれぞれ形成する、水平方向において対向して設けられた第１，第２ロフト床部（１２，２２）と、
これら第１，第２ロフト床部（１２，２２）の間に設けられた、通路形成スペース（Ｓ１）と、
この通路形成スペース（Ｓ１）に配置され、前記第１，第２ロフト床部（１２，２２）の間に通路（３０）を形成する通路形成体（４０）と、
この通路形成体（４０）で形成される前記通路（３０）に通じる階段（５０）を形成する階段形成体（６０）と、
を備えたことを特徴とするロフト付き室内構造。
【請求項４】
請求項２または３において、
前記通路形成体（４０）および／または階段形成体（６０）は、室内空間を部分的に仕切る仕切体を形成することを特徴とするロフト付き室内構造。
【請求項５】
請求項２〜４のうちいずれか一項において、
前記通路形成体（４０）により形成される通路面（３１）の高さは、前記第１，第２ロフト（１０，２０）の床面の内の少なくとも一方の床面よりも低いことを特徴とするロフト付き室内構造。
【請求項６】
請求項３〜５のうちいずれか一項において、
前記階段形成体（６０）の少なくとも一部は、前記通路形成体（４０）の内部に収納可能であることを特徴とするロフト付き室内構造。
【発明の詳細な説明】
【技術分野】
【０００１】
本発明は、ロフト付き室内構造に関するものである。
【背景技術】
【０００２】
従来、例えば特許文献１に見られるように、ロフト（１７）と、このロフト（１７）への昇降手段としての梯子（２２）とを備えたロフト付き室内構造が知られている。
【０００３】
このロフト付き室内構造は、ロフト（１７）への昇降手段が梯子（２２）であるため、ロフト（１７）を収納スペースとして利用する際には、例えば、片手で荷物を持ち、片手で梯子（２２）をつかみながら昇降することとなる。そのため、ロフトの利便性が良くないという難点がある。
【０００４】
また、従来、例えば特許文献２（図１１）に見られるように、ロフト（Ｓ）と、このロフト（Ｓ）に通じる階段（Ｕ）とを備えたロフト付き室内構造も知られている。
【０００５】
このロフト付き室内構造は、階段（Ｕ）を備えており、両手で荷物を持って昇降できるので、収納スペースとしてのロフトの利便性は向上する。
しかし、同文献図１１のロフト（Ｓ）には安全柵が設けられていないので、安全性が低いという難点がある。
【先行技術文献】
【特許文献】
【０００６】
【特許文献１】特開２００１−２８８９０６号公報
【特許文献２】特許第２９５９７１５号公報
【発明の概要】
【発明が解決しようとする課題】
【０００７】
本発明が解決しようとする課題は、ロフトの利便性及び安全性を向上させることのできるロフト付き室内構造を提供することである。
【課題を解決するための手段】
【０００８】
上記課題を解決するために本発明のロフト付き室内構造は、
水平方向において対向する第１，第２ロフトと、
これら第１，第２ロフトの床をそれぞれ形成する、水平方向において対向して設けられた第１，第２ロフト床部と、
これら第１，第２ロフト床部の間に設けられた、通路形成スペースと、
を備えたことを特徴とする。
【０００９】
このロフト付き室内構造によれば、
第１，第２ロフトが水平方向において対向し、
これら第１，第２ロフトの床をそれぞれ形成する第１，第２ロフト床部が水平方向において対向して設けられ、
これら第１，第２ロフト床部の間に通路形成スペースが設けられているので、
この通路形成スペースに、第１，第２ロフト床部の間に配置される通路を設けることが可能である。
この通路は、第１，第２ロフト床部の間の空間を少なくとも部分的に塞ぐことができるから、第１または，第２ロフトから、人や物体が落下するのを防止することが可能となる。
すなわち、このロフト付き室内構造によれば、上記通路が設けられている側については、安全柵を設けなくても、人や物体の落下を防止することができるので、安全柵を設けることなく安全性を向上させることができる。
また、上記通路は、第１または，第２ロフトに対して荷物を出し入れする際の足場となるので、ロフトの使い勝手すなわち利便性が向上する。
以上のように、このロフト付き室内構造によれば、ロフトの利便性及び安全性を向上させることができる。
【００１０】
また、上記課題を解決するために本発明のロフト付き室内構造は、
水平方向において対向する第１，第２ロフトと、
これら第１，第２ロフトの床をそれぞれ形成する、水平方向において対向して設けられた第１，第２ロフト床部と、
これら第１，第２ロフト床部の間に設けられた、通路形成スペースと、
この通路形成スペースに配置され、前記第１，第２ロフト床部の間に通路を形成する通路形成体と、
を備えたことを特徴とする。
【００１１】
このロフト付き室内構造によれば、
第１，第２ロフトが水平方向において対向し、
これら第１，第２ロフトの床をそれぞれ形成する第１，第２ロフト床部が水平方向において対向して設けられ、
これら第１，第２ロフト床部の間に通路形成スペースが設けられ、
この通路形成スペースに、第１，第２ロフト床部の間に通路を形成する通路形成体が配置されるので、
この通路形成体によって、第１，第２ロフト床部の間の空間は、少なくとも部分的に塞ぐことができる。
したがって、第１または，第２ロフトから、人や物体が落下するのを防止することが可能となる。
すなわち、このロフト付き室内構造によれば、上記通路形成体が設けられている側については、安全柵を設けなくても、人や物体の落下を防止することができるので、安全柵を設けることなく安全性を向上させることができる。
また、上記通路形成体は、第１または，第２ロフトに対して荷物を出し入れする際の足場となるので、ロフトの使い勝手すなわち利便性が向上する。
以上のように、このロフト付き室内構造によれば、ロフトの利便性及び安全性を向上させることができる。
【００１２】
また、上記課題を解決するために本発明のロフト付き室内構造は、
水平方向において対向する第１，第２ロフトと、
これら第１，第２ロフトの床をそれぞれ形成する、水平方向において対向して設けられた第１，第２ロフト床部と、
これら第１，第２ロフト床部の間に設けられた、通路形成スペースと、
この通路形成スペースに配置され、前記第１，第２ロフト床部の間に通路を形成する通路形成体と、
この通路形成体で形成される前記通路に通じる階段を形成する階段形成体と、
を備えたことを特徴とする。
【００１３】
このロフト付き室内構造によれば、
第１，第２ロフトが水平方向において対向し、
これら第１，第２ロフトの床をそれぞれ形成する第１，第２ロフト床部が水平方向において対向して設けられ、
これら第１，第２ロフト床部の間に通路形成スペースが設けられ、
この通路形成スペースに、第１，第２ロフト床部の間に通路を形成する通路形成体が配置されるので、
この通路形成体によって、第１，第２ロフト床部の間の空間は、少なくとも部分的に塞ぐことができる。
したがって、第１または，第２ロフトから、人や物体が落下するのを防止することが可能となる。
すなわち、このロフト付き室内構造によれば、上記通路形成体が設けられている側については、安全柵を設けなくても、人や物体の落下を防止することができるので、安全柵を設けることなく安全性を向上させることができる。
また、上記通路形成体は、第１または，第２ロフトに対して荷物を出し入れする際の足場となるので、ロフトの使い勝手すなわち利便性が向上する。
以上のように、このロフト付き室内構造によれば、ロフトの利便性及び安全性を向上させることができる。
さらに、このロフト付き室内構造は、
前記通路形成体で形成される前記通路に通じる階段を形成する階段形成体を備えているので、第１または，第２ロフトに対する昇降を、階段形成体および通路形成体を通じて行うことができる。
したがって、ロフトの利便性を一層向上させることができる。
【００１４】
このロフト付き室内構造においては、
前記通路形成体および／または階段形成体は、室内空間を部分的に仕切る仕切体を形成する構成とすることができる。
このように構成すると、室内空間を通路形成体および／または階段形成体で仕切ることで、室内空間を複数人で利用する場合のプライバシーの確保が容易になる。
【００１５】
このロフト付き室内構造においては、
前記通路形成体により形成される通路面の高さは、前記第１，第２ロフトの床面の内の少なくとも一方の床面よりも低い構成とすることができる。
このように構成すると、通路形成体により形成される通路面よりも高いロフトの床部の縁部を通路の安全柵代わりに利用することも可能となるので、安全性が一層向上する。
【００１６】
このロフト付き室内構造においては、
前記階段形成体の少なくとも一部は、前記通路形成体の内部に収納可能である構成とすることができる。
このように構成すると、ロフトへの昇降を行わないときの、室内空間を有効利用することができる。
【図面の簡単な説明】
【００１７】
【図１】本発明に係るロフト付き室内構造の実施の形態の部分斜視図。
【図２】同じく部分平面図。
【図３】同じく部分側面図。
【図４】他の実施の形態の部分斜視図。
【図５】同じく部分平面図。
【図６】同じく部分側面図。
【図７】通路形成体および階段形成体の一例を示す図で、（ａ）は正面図、（ｂ）は図（ａ）におけるｂ−ｂ断面図、（ｃ）は展開状態の斜視図。
【発明を実施するための形態】
【００１８】
以下、本発明に係るロフト付き室内構造の実施の形態について図面を参照して説明する。なお、各図において、同一部分ないし相当する部分には、同一の符号を付してある。
【００１９】
図１〜図３に示すように、この実施の形態のロフト付き室内構造１は、
水平方向において対向する第１，第２ロフト１０，２０と、
これら第１，第２ロフト１０，２０の床１１，２１をそれぞれ形成する、水平方向において対向して設けられた第１，第２ロフト床部１２，２２と、
これら第１，第２ロフト床部１２，２２の間に設けられた、通路形成スペースＳ１と、
を備えている。
【００２０】
このロフト付き室内構造１によれば、
第１，第２ロフト１０，２０が水平方向において対向し、
これら第１，第２ロフト１０，２０の床１１，２１をそれぞれ形成する第１，第２ロフト床部１２，２２が水平方向において対向して設けられ、
これら第１，第２ロフト床部１２，２２の間に通路形成スペースＳ１が設けられているので、
この通路形成スペースＳ１に、第１，第２ロフト床部１２，２２の間に配置される通路３０を設けることが可能である。
【００２１】
この通路３０は、第１，第２ロフト床部１２，２２の間の空間（Ｓ１）を少なくとも部分的に塞ぐことができるから、第１ロフト１０または，第２ロフト２０から、人や物体が落下するのを防止することが可能となる。
【００２２】
すなわち、このロフト付き室内構造１によれば、上記通路３０が設けられている側１３，２３については、安全柵を設けなくても、人や物体の落下を防止することができるので、安全柵を設けなくても安全性を向上させることができる。
【００２３】
また、上記通路３０は、第１ロフト１０または，第２ロフト２０に対して荷物を出し入れする際の足場となるので、ロフト１０，２０の使い勝手すなわち利便性が向上する。
【００２４】
以上のように、このロフト付き室内構造１によれば、ロフトの利便性及び安全性を向上させることができる。
【００２５】
しかも、第１，第２ロフト床部１２，２２の間の空間（Ｓ１）に通路３０があることによって、ロフトが高所である事の不安を大きく和らげることができるとともに、通路３０から一跨ぎで二方向のロフト１０，２０へアクセス出来る。
【００２６】
通路３０は、通路形成体４０で形成されている。
この実施の形態のロフト付き室内構造１は、通路形成体４０で形成される通路３０に通じる階段５０を形成する階段形成体６０を備えている。
【００２７】
このように構成すると、第１ロフト１０または，第２ロフト２０に対する昇降を、階段形成体６０および通路形成体４０を通じて行うことができる。
したがって、ロフト１０，２０の利便性を一層向上させることができる。
【００２８】
通路形成体４０は、室内空間Ｓを部分的に仕切る仕切体を形成する。
このように構成すると、室内空間Ｓを通路形成体４０で仕切ることで、室内空間Ｓを複数人で利用する場合のプライバシーの確保が容易になる。
この実施の形態では、室内空間Ｓは通路形成体４０によって、１階スペースが、２つの空間Ｓ２とＳ３とに、部分的に仕切られている。
【００２９】
また、この実施の形態では、通路形成体（仕切体）４０を挟んだ両側上部に二つのロフト１０，２０が構成されるので、室内空間（例えばワンルーム）を大きく分けて４つのスペース（Ｓ２，Ｓ３およびロフト１０，２０）に区分けすることが可能となり、一時的なプライバシーの確保や行動スペース、及び収納スペースの区分けが容易となる。
【００３０】
なお、後述するように、階段形成体６０も室内空間Ｓを部分的に仕切る仕切体とすることができる。
【００３１】
通路形成体４０により形成される通路面３１の高さＨ１（図３）は、第１，第２ロフト１０，２０の床面の高さＨ２よりも低くなっている。
【００３２】
このように構成すると、通路形成体４０により形成される通路面３１よりも高いロフト１０，２０の床部１２，２２の縁部１４，２４を通路３０の安全柵代わりに利用することも可能となるので、安全性が一層向上する。
【００３３】
また、通路面３１の高さＨ１（図３）を、第１，第２ロフト１０，２０の床面の高さＨ２よりも低くすることで、通路面３１から天井４までの高さＨ３（図３）を高くすることができるため、通路３０からロフト１０，２０への荷物の出し入れ作業を容易に行うことができるようになる。
【００３４】
しかも、第１，第２ロフト床部１２，２２の間の空間（Ｓ１）に通路３０があることによって、ロフトが高所である事の不安を大きく和らげることができると同時に、通路面３１の高さＨ１（図３）を、第１，第２ロフト１０，２０の床面の高さＨ２よりも低くすることで、ロフトスペースの天井が低い事による閉塞感も緩和することができる。
【００３５】
なお、この実施の形態の第１，第２ロフト１０，２０の床面の高さ（Ｈ２）は同じであるが、第１，第２ロフト１０，２０の床面の高さが異なる場合、通路形成体４０により形成される通路面３１の高さＨ１は、第１，第２ロフト１０，２０の床面の内の少なくとも一方の床面、すなわち高い方の床面よりも低い構成とすることができる。その場合、高い方の床部の縁部を通路の安全柵代わりとして利用することができる。
【００３６】
階段形成体６０の少なくとも一部は、通路形成体４０の内部に収納可能な構成となっている（図７参照）。
このように構成すると、ロフトへの昇降を行わないときの、室内空間Ｓを有効利用することが可能となる。
【００３７】
図１〜図３において、２，３は室内の内壁面を、図３において、４は天井面を示している。
ロフト１０，２０はいずれも、公知の適宜の工法で構成可能である。
この実施の形態では、第１ロフト１０の床部１２はその３辺が、室内壁面２，２，３と一体に構成され、第２ロフト２０の床部２２は、少なくともその一辺が室内壁面２と一体に構成され、室内壁面とは接合されていない前述した縁部１４，２４が対向し、その間に、通路形成スペースＳ１が形成されている。
【００３８】
また、この実施の形態では、第２ロフト床部２２の、非接合縁部２４ｂと、室内壁面２との間に、階段５０のためのスペースＳ４が形成されている。なお、非接合縁部２４ｂ上には、安全柵（図示せず）を設けることが望ましい。
【００３９】
通路３０の幅Ｗ１（図３）は、人が普通に歩くことができる範囲内で適宜設定できるが、通路形成スペースＳ１すなわち、第１，第２ロフト床部の前述した縁部１４，２４の間隔と略同じにすることが望ましい。例えば、第１，第２ロフト床部の前述した縁部１４，２４の間隔に対し、通路３０の幅Ｗ１は＋−２０ｃｍ程度とする。
【００４０】
通路形成体４０は、通路形成スペースＳ１に通路３０を形成できればよく、適宜の構造を採用し得る。
この実施の形態では、通路形成体４０は、第１，第２箱体（ないし枠体。以下同じ）４１，４２と、これら第１，第２箱体４１，４２の上部を連結可能な天板４３と、補助天板４４とを備えている。
【００４１】
図７に示すように、第１，第２箱体４１，４２は略同じ大きさであるが、第２箱体４２は、全体的に略板厚分だけ第１箱体４１より小さくなっていて、第１箱体４１内に収納可能である。
【００４２】
天板４３は、図１に示すように、第１，第２箱体４１，４２にまたがって架設される。第２箱体４２が略板厚分だけ第１箱体４１より小さくなっているため、通路３０に段差が形成されないように、第１箱体４１には、天板４３の一端部４３ｂを受ける切り欠き４１ｂが設けられている。また、天板４３の他端部４３ｃは第２箱体４２の端部４２ｃに載置されるが、その段差を解消するために、補助天板４４が第２箱体４２上に載置される。
【００４３】
図１に示すように、この実施の形態では、第１，第２箱体４１，４２が離間して配置されているため、その間の空間Ｓ５を通路として、１階スペースの２つの空間Ｓ２とＳ３との間を行き来することができる。
【００４４】
階段形成体６０は、通路形成体４０で形成される通路３０に通じる階段５０を形成できる構造であれば、適宜の構造を採用することができる。
【００４５】
図１〜図３、および図７に示すように、この実施の形態の階段形成体６０は、前後ないし上下に２分割された、第１階段体６１と第２階段体６２とを有している。
図１、図２に示すように、第１階段体６１を前記第２箱体４２に連ね、第１階段体６１に第２階段体６２を連ねることで階段５０が形成される。
【００４６】
図７に示すように、第１階段体６１は、全体的に略板厚分だけ第２箱体４２より小さくなっていて、第２箱体４２内に収納可能である。
また、第２階段体６２は、第１階段体６１の約下半分の大きさに対して略板厚分だけ小さくなっていて、第１階段体６１の下部６１ｂ内に収納可能である。
【００４７】
図７に示すように、階段を形成する、第１階段体６１の横板６１ｃ、および第２階段体６２の横板６２ｃはそれぞれ棚板を構成している。したがって、第１階段体６１，第２階段体６２は、物品収納棚として利用可能である。
【００４８】
図４〜図６は他の実施の形態を示す図である。
この実施の形態が上述した実施の形態と異なる点は、第１，第２ロフト１０，２０の間であって、室内空間Ｓの中央部分（壁際以外の部分）に通路形成体４０および階段形成体６０を配置し、これら通路形成体４０および階段形成体６０で１階スペースを部分的に、２つの空間Ｓ６とＳ７とに仕切った点にある。
【００４９】
この実施の形態によっても、上述した実施の形態と同様の作用効果が得られる。
また、この実施の形態では、第１，第２ロフト床部１２，２２の前述した縁部１４，２４の一部（図６の符号２４ｃ参照）が階段用の手すりの代わりとしての役割を果たす。
【００５０】
図７（ｃ）に示すように、第２箱体４２や第１階段体６１には、開口４２ｄ、６１ｄを設けることもできるが、この実施の形態では、通路形成体４０および階段形成体６０が仕切り体となっているので、これら開口は設けない方が望ましい。
【００５１】
以上、本発明の実施の形態について説明したが、本発明は上記の実施の形態に限定されるものではなく、本発明の要旨の範囲内において適宜変形実施可能である。
例えば、
【００５２】
この実施の形態のロフト付き室内構造１は、ワンルームマンション等の一室の構造として適しているが、それ以外の室内構造にも適用可能である。
【００５３】
第１箱体４１は単体の収納棚として据え置き構造とし、第２箱体４２と階段形成体６０のみを格納式として構成する事も可能である。
【符号の説明】
【００５４】
１：    ロフト付き室内構造
１０：    第１ロフト
２０：    第２ロフト
１２：    第１ロフト床部
２２：    第２ロフト床部
３０：    通路
４０：    通路形成体
５０：    階段
６０：    階段形成体
【図１】
2020133115.tif 000003
【図２】
2020133115.tif 000004
【図３】
2020133115.tif 000005
【図４】
2020133115.tif 000006
【図５】
2020133115.tif 000007
【図６】
2020133115.tif 000008
【図７】
2020133115.tif 000009
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
水平方向において対向する第１，第２ロフト（１０，２０）と、
これら第１，第２ロフト（１０，２０）の床をそれぞれ形成する、水平方向において対向して設けられた第１，第２ロフト床部（１２，２２）と、
これら第１，第２ロフト床部（１２，２２）の間に設けられた、階段（５０）ではない通路（３０）を配置するための通路形成スペース（Ｓ１）と、
この通路形成スペース（Ｓ１）に配置され、前記第１，第２ロフト床部（１２，２２）の間に階段（５０）ではない通路（３０）を形成する通路形成体（４０）と、
を備えたことを特徴とするロフト付きワンルーム室内構造。
【請求項２】
水平方向において対向する第１，第２ロフト（１０，２０）と、
これら第１，第２ロフト（１０，２０）の床をそれぞれ形成する、水平方向において対向して設けられた第１，第２ロフト床部（１２，２２）と、
これら第１，第２ロフト床部（１２，２２）の間に設けられた、階段（５０）ではない通路（３０）を配置するための通路形成スペース（Ｓ１）と、
この通路形成スペース（Ｓ１）に配置され、前記第１，第２ロフト床部（１２，２２）の間に階段（５０）ではない通路（３０）を形成する通路形成体（４０）と、
この通路形成体（４０）で形成される前記通路（３０）に通じる階段（５０）を形成する階段形成体（６０）と、
を備えたことを特徴とするロフト付きワンルーム室内構造。
【請求項３】
請求項１または２において、
前記通路形成体（４０）および／または階段形成体（６０）は、ワンルームの室内空間を部分的に仕切る仕切体を形成することを特徴とするロフト付きワンルーム室内構造。
【請求項４】
請求項１〜３のうちいずれか一項において、
前記通路（３０）はロフト（１０，２０）の床部（１２，２２）の相対向する縁部（１４，２４）の間において相対向する縁部（１４，２４）の長手方向に沿って延び、前記通路形成体（４０）により形成される通路面（３１）の高さは、前記第１，第２ロフト（１０，２０）の床面の内の少なくとも一方の床面よりも低いことを特徴とするロフト付きワンルーム室内構造。
【請求項５】
請求項２〜４のうちいずれか一項において、
前記階段形成体（６０）の少なくとも一部は、前記通路形成体（４０）の内部に収納可能であることを特徴とするロフト付きワンルーム室内構造。
【手続補正２】
【補正対象書類名】明細書
【補正対象項目名】全文
【補正方法】変更
【補正の内容】
【発明の詳細な説明】
【技術分野】
【０００１】
本発明は、ロフト付きワンルーム室内構造に関するものである。
【背景技術】
【０００２】
従来、例えば特許文献１に見られるように、ロフト（１７）と、このロフト（１７）への昇降手段としての梯子（２２）とを備えたロフト付き室内構造が知られている。
【０００３】
このロフト付き室内構造は、ロフト（１７）への昇降手段が梯子（２２）であるため、ロフト（１７）を収納スペースとして利用する際には、例えば、片手で荷物を持ち、片手で梯子（２２）をつかみながら昇降することとなる。そのため、ロフトの利便性が良くないという難点がある。
【０００４】
また、従来、例えば特許文献２（図１１）に見られるように、ロフト（Ｓ）と、このロフト（Ｓ）に通じる階段（Ｕ）とを備えたロフト付き室内構造も知られている。
【０００５】
このロフト付き室内構造は、階段（Ｕ）を備えており、両手で荷物を持って昇降できるので、収納スペースとしてのロフトの利便性は向上する。
しかし、同文献図１１のロフト（Ｓ）には安全柵が設けられていないので、安全性が低いという難点がある。
【先行技術文献】
【特許文献】
【０００６】
【特許文献１】特開２００１−２８８９０６号公報
【特許文献２】特許第２９５９７１５号公報
【発明の概要】
【発明が解決しようとする課題】
【０００７】
本発明が解決しようとする課題は、ロフトの利便性及び安全性を向上させることのできるロフト付きワンルーム室内構造を提供することである。
【課題を解決するための手段】
【０００８】
【０００９】
【００１０】
上記課題を解決するために本発明のロフト付きワンルーム室内構造は、
水平方向において対向する第１，第２ロフトと、
これら第１，第２ロフトの床をそれぞれ形成する、水平方向において対向して設けられた第１，第２ロフト床部と、
これら第１，第２ロフト床部の間に設けられた、階段ではない通路を配置するための通路形成スペースと、
この通路形成スペースに配置され、前記第１，第２ロフト床部の間に階段ではない通路を形成する通路形成体と、
を備えたことを特徴とする。
【００１１】
このロフト付きワンルーム室内構造によれば、
第１，第２ロフトが水平方向において対向し、
これら第１，第２ロフトの床をそれぞれ形成する第１，第２ロフト床部が水平方向において対向して設けられ、
これら第１，第２ロフト床部の間に階段ではない通路を配置するための通路形成スペースが設けられ、
この通路形成スペースに、第１，第２ロフト床部の間に階段ではない通路を形成する通路形成体が配置されるので、
この通路形成体によって、第１，第２ロフト床部の間の空間は、少なくとも部分的に塞ぐことができる。
したがって、第１または，第２ロフトから、人や物体が落下するのを防止することが可能となる。
すなわち、このロフト付きワンルーム室内構造によれば、上記通路形成体が設けられている側については、安全柵を設けなくても、人や物体の落下を防止することができるので、安全柵を設けることなく安全性を向上させることができる。
また、上記通路形成体は、第１または，第２ロフトに対して荷物を出し入れする際の足場となるので、ロフトの使い勝手すなわち利便性が向上する。
以上のように、このロフト付きワンルーム室内構造によれば、ロフトの利便性及び安全性を向上させることができる。
【００１２】
また、上記課題を解決するために本発明のロフト付きワンルーム室内構造は、
水平方向において対向する第１，第２ロフトと、
これら第１，第２ロフトの床をそれぞれ形成する、水平方向において対向して設けられた第１，第２ロフト床部と、
これら第１，第２ロフト床部の間に設けられた、階段ではない通路を配置するための通路形成スペースと、
この通路形成スペースに配置され、前記第１，第２ロフト床部の間に階段ではない通路を形成する通路形成体と、
この通路形成体で形成される前記通路に通じる階段を形成する階段形成体と、
を備えたことを特徴とする。
【００１３】
このロフト付きワンルーム室内構造によれば、
第１，第２ロフトが水平方向において対向し、
これら第１，第２ロフトの床をそれぞれ形成する第１，第２ロフト床部が水平方向において対向して設けられ、
これら第１，第２ロフト床部の間に階段ではない通路を配置するための通路形成スペースが設けられ、
この通路形成スペースに、第１，第２ロフト床部の間に階段ではない通路を形成する通路形成体が配置されるので、
この通路形成体によって、第１，第２ロフト床部の間の空間は、少なくとも部分的に塞ぐことができる。
したがって、第１または，第２ロフトから、人や物体が落下するのを防止することが可能となる。
すなわち、このロフト付きワンルーム室内構造によれば、上記通路形成体が設けられている側については、安全柵を設けなくても、人や物体の落下を防止することができるので、安全柵を設けることなく安全性を向上させることができる。
また、上記通路形成体は、第１または，第２ロフトに対して荷物を出し入れする際の足場となるので、ロフトの使い勝手すなわち利便性が向上する。
以上のように、このロフト付きワンルーム室内構造によれば、ロフトの利便性及び安全性を向上させることができる。
さらに、このロフト付きワンルーム室内構造は、
前記通路形成体で形成される前記通路に通じる階段を形成する階段形成体を備えているので、第１または，第２ロフトに対する昇降を、階段形成体および通路形成体を通じて行うことができる。
したがって、ロフトの利便性を一層向上させることができる。
【００１４】
このロフト付きワンルーム室内構造においては、
前記通路形成体および／または階段形成体は、ワンルームの室内空間を部分的に仕切る仕切体を形成する構成とすることができる。
このように構成すると、ワンルームの室内空間を通路形成体および／または階段形成体で仕切ることで、ワンルームの室内空間を複数人で利用する場合のプライバシーの確保が容易になる。
【００１５】
このロフト付きワンルーム室内構造においては、
前記通路はロフトの床部の相対向する縁部の間において相対向する縁部の長手方向に沿って延び、前記通路形成体により形成される通路面の高さは、前記第１，第２ロフトの床面の内の少なくとも一方の床面よりも低い構成とすることができる。
このように構成すると、通路形成体により形成される通路面よりも高いロフトの床部の縁部を通路の安全柵代わりに利用することも可能となるので、安全性が一層向上する。
【００１６】
このロフト付きワンルーム室内構造においては、
前記階段形成体の少なくとも一部は、前記通路形成体の内部に収納可能である構成とすることができる。
このように構成すると、ロフトへの昇降を行わないときの、ワンルームの室内空間を有効利用することができる。
【図面の簡単な説明】
【００１７】
【図１】本発明に係るロフト付きワンルーム室内構造の実施の形態の部分斜視図。
【図２】同じく部分平面図。
【図３】同じく部分側面図。
【図４】他の実施の形態の部分斜視図。
【図５】同じく部分平面図。
【図６】同じく部分側面図。
【図７】通路形成体および階段形成体の一例を示す図で、（ａ）は正面図、（ｂ）は図（ａ）におけるｂ−ｂ断面図、（ｃ）は展開状態の斜視図。
【発明を実施するための形態】
【００１８】
以下、本発明に係るロフト付きワンルーム室内構造の実施の形態について図面を参照して説明する。なお、各図において、同一部分ないし相当する部分には、同一の符号を付してある。
【００１９】
図１〜図３に示すように、この実施の形態のロフト付きワンルーム室内構造１は、
水平方向において対向する第１，第２ロフト１０，２０と、
これら第１，第２ロフト１０，２０の床１１，２１をそれぞれ形成する、水平方向において対向して設けられた第１，第２ロフト床部１２，２２と、
これら第１，第２ロフト床部１２，２２の間に設けられた、通路形成スペースＳ１と、
を備えている。
【００２０】
このロフト付きワンルーム室内構造１によれば、
第１，第２ロフト１０，２０が水平方向において対向し、
これら第１，第２ロフト１０，２０の床１１，２１をそれぞれ形成する第１，第２ロフト床部１２，２２が水平方向において対向して設けられ、
これら第１，第２ロフト床部１２，２２の間に通路形成スペースＳ１が設けられているので、
この通路形成スペースＳ１に、第１，第２ロフト床部１２，２２の間に配置される通路３０を設けることが可能である。
【００２１】
この通路３０は、第１，第２ロフト床部１２，２２の間の空間（Ｓ１）を少なくとも部分的に塞ぐことができるから、第１ロフト１０または，第２ロフト２０から、人や物体が落下するのを防止することが可能となる。
【００２２】
すなわち、このロフト付きワンルーム室内構造１によれば、上記通路３０が設けられている側１３，２３については、安全柵を設けなくても、人や物体の落下を防止することができるので、安全柵を設けなくても安全性を向上させることができる。
【００２３】
また、上記通路３０は、第１ロフト１０または，第２ロフト２０に対して荷物を出し入れする際の足場となるので、ロフト１０，２０の使い勝手すなわち利便性が向上する。
【００２４】
以上のように、このロフト付きワンルーム室内構造１によれば、ロフトの利便性及び安全性を向上させることができる。
【００２５】
しかも、第１，第２ロフト床部１２，２２の間の空間（Ｓ１）に通路３０があることによって、ロフトが高所である事の不安を大きく和らげることができるとともに、通路３０から一跨ぎで二方向のロフト１０，２０へアクセス出来る。
【００２６】
通路３０は、通路形成体４０で形成されている。
この実施の形態のロフト付きワンルーム室内構造１は、通路形成体４０で形成される通路３０に通じる階段５０を形成する階段形成体６０を備えている。
【００２７】
このように構成すると、第１ロフト１０または，第２ロフト２０に対する昇降を、階段形成体６０および通路形成体４０を通じて行うことができる。
したがって、ロフト１０，２０の利便性を一層向上させることができる。
【００２８】
通路形成体４０は、ワンルームの室内空間Ｓを部分的に仕切る仕切体を形成する。
このように構成すると、ワンルームの室内空間Ｓを通路形成体４０で仕切ることで、ワンルーム室内空間Ｓを複数人で利用する場合のプライバシーの確保が容易になる。
この実施の形態では、ワンルームの室内空間Ｓは通路形成体４０によって、１階スペースが、２つの空間Ｓ２とＳ３とに、部分的に仕切られている。
【００２９】
また、この実施の形態では、通路形成体（仕切体）４０を挟んだ両側上部に二つのロフト１０，２０が構成されるので、ワンルームの室内空間を大きく分けて４つのスペース（Ｓ２，Ｓ３およびロフト１０，２０）に区分けすることが可能となり、一時的なプライバシーの確保や行動スペース、及び収納スペースの区分けが容易となる。
【００３０】
なお、後述するように、階段形成体６０もワンルームの室内空間Ｓを部分的に仕切る仕切体とすることができる。
【００３１】
通路３０はロフト１０，２０の床部１２，２２の相対向する縁部１４，２４の間において相対向する縁部１４，２４の長手方向に沿って延び、通路形成体４０により形成される通路面３１の高さＨ１（図３）は、第１，第２ロフト１０，２０の床面の高さＨ２よりも低くなっている。
【００３２】
このように構成すると、通路形成体４０により形成される通路面３１よりも高いロフト１０，２０の床部１２，２２の縁部１４，２４を通路３０の安全柵代わりに利用することも可能となるので、安全性が一層向上する。
【００３３】
また、通路面３１の高さＨ１（図３）を、第１，第２ロフト１０，２０の床面の高さＨ２よりも低くすることで、通路面３１から天井４までの高さＨ３（図３）を高くすることができるため、通路３０からロフト１０，２０への荷物の出し入れ作業を容易に行うことができるようになる。
【００３４】
しかも、第１，第２ロフト床部１２，２２の間の空間（Ｓ１）に通路３０があることによって、ロフトが高所である事の不安を大きく和らげることができると同時に、通路面３１の高さＨ１（図３）を、第１，第２ロフト１０，２０の床面の高さＨ２よりも低くすることで、ロフトスペースの天井が低い事による閉塞感も緩和することができる。
【００３５】
なお、この実施の形態の第１，第２ロフト１０，２０の床面の高さ（Ｈ２）は同じであるが、第１，第２ロフト１０，２０の床面の高さが異なる場合、通路形成体４０により形成される通路面３１の高さＨ１は、第１，第２ロフト１０，２０の床面の内の少なくとも一方の床面、すなわち高い方の床面よりも低い構成とすることができる。その場合、高い方の床部の縁部を通路の安全柵代わりとして利用することができる。
【００３６】
階段形成体６０の少なくとも一部は、通路形成体４０の内部に収納可能な構成となっている（図７参照）。
このように構成すると、ロフトへの昇降を行わないときの、ワンルームの室内空間Ｓを有効利用することが可能となる。
【００３７】
図１〜図３において、２，３はワンルーム室内の内壁面を、図３において、４は天井面を示している。
ロフト１０，２０はいずれも、公知の適宜の工法で構成可能である。
この実施の形態では、第１ロフト１０の床部１２はその３辺が、ワンルームの室内壁面２，２，３と一体に構成され、第２ロフト２０の床部２２は、少なくともその一辺が室内壁面２と一体に構成され、室内壁面とは接合されていない前述した縁部１４，２４が対向し、その間に、通路形成スペースＳ１が形成されている。
【００３８】
また、この実施の形態では、第２ロフト床部２２の、非接合縁部２４ｂと、室内壁面２との間に、階段５０のためのスペースＳ４が形成されている。なお、非接合縁部２４ｂ上には、安全柵（図示せず）を設けることが望ましい。
【００３９】
通路３０の幅Ｗ１（図３）は、人が普通に歩くことができる範囲内で適宜設定できるが、通路形成スペースＳ１すなわち、第１，第２ロフト床部の前述した縁部１４，２４の間隔と略同じにすることが望ましい。例えば、第１，第２ロフト床部の前述した縁部１４，２４の間隔に対し、通路３０の幅Ｗ１は＋−２０ｃｍ程度とする。
【００４０】
通路形成体４０は、通路形成スペースＳ１に通路３０を形成できればよく、適宜の構造を採用し得る。
この実施の形態では、通路形成体４０は、第１，第２箱体（ないし枠体。以下同じ）４１，４２と、これら第１，第２箱体４１，４２の上部を連結可能な天板４３と、補助天板４４とを備えている。
【００４１】
図７に示すように、第１，第２箱体４１，４２は略同じ大きさであるが、第２箱体４２は、全体的に略板厚分だけ第１箱体４１より小さくなっていて、第１箱体４１内に収納可能である。
【００４２】
天板４３は、図１に示すように、第１，第２箱体４１，４２にまたがって架設される。第２箱体４２が略板厚分だけ第１箱体４１より小さくなっているため、通路３０に段差が形成されないように、第１箱体４１には、天板４３の一端部４３ｂを受ける切り欠き４１ｂが設けられている。また、天板４３の他端部４３ｃは第２箱体４２の端部４２ｃに載置されるが、その段差を解消するために、補助天板４４が第２箱体４２上に載置される。
【００４３】
図１に示すように、この実施の形態では、第１，第２箱体４１，４２が離間して配置されているため、その間の空間Ｓ５を通路として、１階スペースの２つの空間Ｓ２とＳ３との間を行き来することができる。
【００４４】
階段形成体６０は、通路形成体４０で形成される通路３０に通じる階段５０を形成できる構造であれば、適宜の構造を採用することができる。
【００４５】
図１〜図３、および図７に示すように、この実施の形態の階段形成体６０は、前後ないし上下に２分割された、第１階段体６１と第２階段体６２とを有している。
図１、図２に示すように、第１階段体６１を前記第２箱体４２に連ね、第１階段体６１に第２階段体６２を連ねることで階段５０が形成される。
【００４６】
図７に示すように、第１階段体６１は、全体的に略板厚分だけ第２箱体４２より小さくなっていて、第２箱体４２内に収納可能である。
また、第２階段体６２は、第１階段体６１の約下半分の大きさに対して略板厚分だけ小さくなっていて、第１階段体６１の下部６１ｂ内に収納可能である。
【００４７】
図７に示すように、階段を形成する、第１階段体６１の横板６１ｃ、および第２階段体６２の横板６２ｃはそれぞれ棚板を構成している。したがって、第１階段体６１，第２階段体６２は、物品収納棚として利用可能である。
【００４８】
図４〜図６は他の実施の形態を示す図である。
この実施の形態が上述した実施の形態と異なる点は、第１，第２ロフト１０，２０の間であって、ワンルームの室内空間Ｓの中央部分（壁際以外の部分）に通路形成体４０および階段形成体６０を配置し、これら通路形成体４０および階段形成体６０で１階スペースを部分的に、２つの空間Ｓ６とＳ７とに仕切った点にある。
【００４９】
この実施の形態によっても、上述した実施の形態と同様の作用効果が得られる。
また、この実施の形態では、第１，第２ロフト床部１２，２２の前述した縁部１４，２４の一部（図６の符号２４ｃ参照）が階段用の手すりの代わりとしての役割を果たす。
【００５０】
図７（ｃ）に示すように、第２箱体４２や第１階段体６１には、開口４２ｄ、６１ｄを設けることもできるが、この実施の形態では、通路形成体４０および階段形成体６０が仕切り体となっているので、これら開口は設けない方が望ましい。
【００５１】
以上、本発明の実施の形態について説明したが、本発明は上記の実施の形態に限定されるものではなく、本発明の要旨の範囲内において適宜変形実施可能である。
例えば、
【００５２】
【００５３】
第１箱体４１は単体の収納棚として据え置き構造とし、第２箱体４２と階段形成体６０のみを格納式として構成する事も可能である。
【符号の説明】
【００５４】
１：    ロフト付きワンルーム室内構造
１０：    第１ロフト
２０：    第２ロフト
１２：    第１ロフト床部
２２：    第２ロフト床部
３０：    通路
４０：    通路形成体
５０：    階段
６０：    階段形成体
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
水平方向において対向する第１，第２ロフト（１０，２０）と、
これら第１，第２ロフト（１０，２０）の床をそれぞれ形成する、水平方向において対向して設けられた第１，第２ロフト床部（１２，２２）と、
これら第１，第２ロフト床部（１２，２２）の間に設けられた、階段（５０）ではない、ワンルーム室内の床とは別の通路（３０）を配置するための通路形成スペース（Ｓ１）と、
この通路形成スペース（Ｓ１）に配置され、前記第１，第２ロフト床部（１２，２２）の間に階段（５０）ではない、ワンルーム室内の床とは別の通路（３０）であって、第１または第２ロフト（１２または２２）に対して荷物を出し入れする際の足場となる通路（３０）を形成する通路形成体（４０）と、
この通路形成体（４０）で形成される前記通路（３０）に通じる階段（５０）を形成する階段形成体（６０）と、
を備え、
前記第１，第２ロフト（１０，２０）の、通路形成体（４０）が設けられている側の、少なくとも通路形成体（４０）との対向部には安全柵や壁が設けられていないことを特徴とするロフト付きワンルーム室内構造。
【請求項２】
請求項１において、
前記通路形成体（４０）および／または階段形成体（６０）は、ワンルームの室内空間を部分的に仕切る仕切体を形成することを特徴とするロフト付きワンルーム室内構造。
【請求項３】
請求項１または２において、
前記通路（３０）はロフト（１０，２０）の床部（１２，２２）の相対向する縁部（１４，２４）の間において相対向する縁部（１４，２４）の長手方向に沿って延び、前記通路形成体（４０）により形成される通路面（３１）の高さは、前記第１，第２ロフト（１０，２０）の床面の内の少なくとも一方の床面よりも低いことを特徴とするロフト付きワンルーム室内構造。
【請求項４】
請求項１〜３のうちいずれか一項において、
前記階段形成体（６０）の少なくとも一部は、前記通路形成体（４０）の内部に収納可能であることを特徴とするロフト付きワンルーム室内構造。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
上記課題を解決するために本発明のロフト付きワンルーム室内構造は、
水平方向において対向する第１，第２ロフトと、
これら第１，第２ロフトの床をそれぞれ形成する、水平方向において対向して設けられた第１，第２ロフト床部と、
これら第１，第２ロフト床部の間に設けられた、階段ではない、ワンルーム室内の床とは別の通路を配置するための通路形成スペースと、
この通路形成スペースに配置され、前記第１，第２ロフト床部の間に階段ではない、ワンルーム室内の床とは別の通路であって、第１または第２ロフトに対して荷物を出し入れする際の足場となる通路を形成する通路形成体と、
この通路形成体で形成される前記通路に通じる階段を形成する階段形成体と、
を備え、
前記第１，第２ロフトの、通路形成体が設けられている側の、少なくとも通路形成体との対向部には安全柵や壁が設けられていないことを特徴とする。